(57)【要約】【課題】奥行きが異なる商品を横方向に並べて陳列する。【解決手段】一対の第１切断線１５，１５と、各第１切断線１５，１５の下端に連続する一対の第２切断線１６，１６と、これら第２切断線１６，１６にかけて延びる第１折曲線１７と、第２折曲線１８とを設けるとともに一方の第１切断線１５の外側に、第１切断線１５の上端より下側から一対の第３切断線１９，１９と、各第３切断線１９，１９の下端に連続する一対の第４切断線２０，２０と、これら第４切断線２０にかけて延びる第３折曲線２１と、第４折曲線２２とを設け、各第１切断線１５，１５の上端に第５折曲線２３と、該第５折曲線２３と平行に延びる第６折曲線２４と、各第１切断線１５の下端および各第３切断線１９の下端より延びる第７折曲線２５とを更に設け、背面部２Ａ，２Ｂと、底面部３Ａ，３Ｂとを有する奥行きが異なる収容空間１Ａ，１Ｂを横方向に形成する。【選択図】図１
2006006540.tif 000002
【特許請求の範囲】
【請求項１】
本体シートに、
所定間隔をもって縦方向に延びる一対の第１切断線と、各第１切断線の下端に連続して縦方向に延びる一対の第２切断線と、各第２切断線の中間部分においてこれら第２切断線間にかけて横方向に延びる第１折曲線と、各第２切断線の下端にかけて横方向に延びる第２折曲線とを設けるとともに、
一方の前記第１切断線の外側に、
前記第１切断線の上端より下側から該第１切断線の下端と略同一高さまで縦方向に延びる一対の第３切断線と、各第３切断線の下端に連続して縦方向に延びる一対の第４切断線と、前記第１折曲線の下側において前記第４切断線間にかけて横方向に延びる第３折曲線と、各第４切断線の下端にかけて横方向に延びる第４折曲線とを設け、
前記各第１切断線の上端に横方向に延びる第５折曲線と、該第５折曲線と平行に前記各第３切断線間にかけて延びる第６折曲線と、前記各第１切断線の下端および前記各第３切断線の下端より横方向に延びる第７折曲線とを更に設け、
前記第１から第７の折曲線に沿って折り曲げることにより、第１切断線の上端から第１折曲線までの領域からなる背面部と、第１折曲線から第２折曲線までの領域からなる底面部とを有する第１収容空間、および、第６折曲線から第３折曲線までの領域からなる背面部と、第３折曲線から第４折曲線までの領域からなる底面部とを有する前記第１収容空間より奥行きが短い第２収容空間を形成したことを特徴とする吊下式商品ホルダー。
【請求項２】
一対の第２切断線を一対の第１切断線より狭い間隔で設けるとともに、一対の第４切断線を一対の第３切断線より狭い間隔で設け、各収容空間に、第２切断線および第４切断線から横方向外側の領域からなる前面部を設けたことを特徴とする請求項１に記載の吊下式商品ホルダー。
【発明の詳細な説明】
【技術分野】
【０００１】
本発明は、所定の商品を収容させた状態で吊り下げて陳列販売するための吊下式商品ホルダーに関するものである。
【背景技術】
【０００２】
本発明の吊下式商品ホルダーに関連する先行技術文献情報としては次のものがある。
【０００３】
【特許文献１】実公昭５５−１４２８９号公報
【特許文献２】特開２０００−１３９６４５号公報
【０００４】
これら特許文献１，２では、本体シートに、複数の収容空間を形成可能とした吊下式の商品ホルダーが提供されている。１つの収容空間は、縦方向に延びる一対の第１切断線と、各第１切断線の下端に略Ｌ字形状に連続する一対の第２切断線と、各第２切断線の中間部分においてこれら第２切断線間にかけて横方向に延びる第１折曲線と、各第２切断線の下端にかけて横方向に延びる第２折曲線とで構成されている。また、前記各第１切断線の上下端には、隣接する収容空間を形成するための第１切断線の上下端にかけて延びる第３切断線および第４折曲線が設けられている。そして、この商品ホルダーは、前記第１から第４の折曲線に沿って折り曲げることにより、第１切断線の上端から第１折曲線までの領域からなる背面部と、第１折曲線から第２折曲線までの領域からなる底面部と、第２切断線から横方向外側の領域からなる前面部とで囲まれた収容空間が形成される。
【０００５】
しかしながら、この商品ホルダーに収容させて販売する商品のなかには、容量の違いなどにより奥行きのみが異なる包装箱に収容したものが存在するが、これらの商品は、異なる商品ホルダーにそれぞれ配置しなければならない。そのため、商品の販売店では、２つの商品ホルダーを吊り下げるためのスペースを確保する必要があった。
【０００６】
因みに、前記特許文献１，２の商品ホルダーにおいて、上段と下段の収容空間を形成するための第１切断線の長さをそれぞれ変更すれば、上下段に奥行きが異なる商品を収容することが可能である。しかし、この場合には、いずれの段に収容した商品の容量が多く、いずれの段に収容した商品の容量が少ないのか、判断し難いなどの問題がある。
【発明の開示】
【発明が解決しようとする課題】
【０００７】
そこで、本発明では、奥行きが異なる商品を横方向に並べて陳列できる吊下式商品ホルダーを提供することを課題とするものである。
【課題を解決するための手段】
【０００８】
前記課題を解決するため、本発明の吊下式商品ホルダーは、本体シートに、所定間隔をもって縦方向に延びる一対の第１切断線と、各第１切断線の下端に連続して縦方向に延びる一対の第２切断線と、各第２切断線の中間部分においてこれら第２切断線間にかけて横方向に延びる第１折曲線と、各第２切断線の下端にかけて横方向に延びる第２折曲線とを設けるとともに、一方の前記第１切断線の外側に、前記第１切断線の上端より下側から該第１切断線の下端と略同一高さまで縦方向に延びる一対の第３切断線と、各第３切断線の下端に連続して縦方向に延びる一対の第４切断線と、前記第１折曲線の下側において前記第４切断線間にかけて横方向に延びる第３折曲線と、各第４切断線の下端にかけて横方向に延びる第４折曲線とを設け、前記各第１切断線の上端に横方向に延びる第５折曲線と、該第５折曲線と平行に前記各第３切断線間にかけて延びる第６折曲線と、前記各第１切断線の下端および前記各第３切断線の下端より横方向に延びる第７折曲線とを更に設け、前記第１から第７の折曲線に沿って折り曲げることにより、第１切断線の上端から第１折曲線までの領域からなる背面部と、第１折曲線から第２折曲線までの領域からなる底面部とを有する第１収容空間、および、第６折曲線から第３折曲線までの領域からなる背面部と、第３折曲線から第４折曲線までの領域からなる底面部とを有する前記第１収容空間より奥行きが短い第２収容空間を形成した構成としている。
【０００９】
この吊下式商品ホルダーでは、一対の第２切断線を一対の第１切断線より狭い間隔で設けるとともに、一対の第４切断線を一対の第３切断線より狭い間隔で設け、各収容空間に、第２切断線および第４切断線から横方向外側の領域からなる前面部を設けることが好ましい。
【発明の効果】
【００１０】
本発明の吊下式商品ホルダーは、第１切断線と、第２切断線と、第１折曲線と、第２折曲線と、第５折曲線および第７折曲線とで形成される第１の収容空間の横に、第３切断線と、第４切断線と、第３折曲線と、第４折曲線と、第６折曲線および第７折曲線とで形成される第２の収容空間を備えている。そして、これらの収容空間は、互いの前面が面一に一致するため、外観に違和感を与えることなく、第５折曲線と第６折曲線との間隔分、第１収容空間より第２収容空間の奥行きを短くすることができる。その結果、奥行きが異なる商品を１個の商品ホルダーに収容させて陳列販売することができる。しかも、奥行きが異なる商品は、横方向に並べて収容されるため、商品の奥行きの違い、即ち、容量の違いを購入者は容易に判断できる。
【発明を実施するための最良の形態】
【００１１】
以下、本発明の実施の形態を図面に従って説明する。
【００１２】
図１から図３は、本発明の実施形態に係る吊下式商品ホルダーを示す。この商品ホルダーは、従来と同様に包装箱に収容した商品を所定の収容空間１Ａ，１Ｂに配置し、吊り下げた状態で陳列して販売するものである。
【００１３】
この商品ホルダーのブランクは、図３に示すように、縦方向に長い矩形状をなす厚肉のボール紙（単紙）からなる本体シート１０を備えている。この本体シート１０の上部には、商品を販売する販売店において棚などに吊り下げるための紐（図示せず）を通す一対の挿通孔１１，１１が設けられている。これら挿通孔１１，１１の上部には、裏側に重畳するように折り曲げて補強を図るための折曲部１２が設けられ、その境界部分に肉厚を圧縮するように罫を入れて形成した折曲線１３が設けられている。また、前記折曲部１２には、前記挿通孔１１，１１と対応する挿通孔１４，１４が前記折曲線１３を中心として対称に設けられている。
【００１４】
本実施形態では、前記本体シート１０に対して３行２列の配置で前記収容空間１Ａ，１Ｂを形成する構成としている。そして、各行の左側に奥行きが長い収容空間１Ａを形成し、その横である右側に該収容空間１Ａより奥行きが短い収容空間１Ｂを形成する構成としている。
【００１５】
具体的には、第１の収容空間１Ａは、第１切断線１５，１５と第２切断線１６，１６と第１折曲線１７と第２折曲線１８とを備え、第２の収容空間１Ｂは、第３切断線１９，１９と第４切断線２０，２０と第３折曲線２１と第４折曲線２２とを備えている。そして、これらの周囲に第５から第７の折曲線２３，２４，２５を更に設け、各折曲線に沿って折り曲げることにより、各収容空間１Ａ，１Ｂを形成する構成としている。
【００１６】
第１の収容空間１Ａを形成するための第１切断線１５，１５は、所定間隔をもって縦方向に平行に延びるように設けた一対の垂直切断線からなる。これら第１切断線１５，１５の上端には、破断を防止するためのアール部が内向きに湾曲するように設けられている。
【００１７】
前記第２切断線１６，１６は、前記第１切断線１５，１５より狭い間隔で縦方向に延びるもので、前記第１切断線１５，１５の下端に連続する円弧状切断線１６ａ，１６ａと、これら円弧状切断線１６ａ，１６ａと接する傾斜切断線１６ｂ，１６ｂとからなる。前記円弧状切断線１６ａ，１６ａは、第１切断線１５，１５から内向きに湾曲して延びるように形成されている。前記傾斜切断線１６ｂ，１６ｂは、互いの間隔が漸次狭くなるように縦方向下向きに傾斜して延びるように形成されている。これら傾斜切断線１６ｂ，１６ｂの下端には、破断を防止するためのアール部が内向きに湾曲するように設けられている。
【００１８】
前記第１折曲線１７は、前記第２切断線１６，１６の中間部分において、これら第２切断線１６，１６間にかけて横方向に延びるように設けた水平な折曲線と切断線とからなるリード罫により構成されている。
【００１９】
前記第２折曲線１８は、前記第２切断線１６，１６の下端であるアール部にかけて接するように横方向に延びる水平な折曲線により構成されている。該第２折曲線１８と前記第１折曲線１７との間隔は、垂直に延びる第１切断線１５の長さと同一に設定されている。
【００２０】
第２の収容空間１Ｂを形成するための第３切断線１９，１９は、右側の第１切断線１５の外側（右側）において、所定間隔をもって縦方向に平行に延びるように設けた一対の垂直切断線からなる。これら第３切断線１９，１９は、その上端が前記第１切断線１５，１５の上端より下側に位置するとともに、下端が第１切断線１５，１５の下端と同一高さまで延びるように設けられている。また、第３切断線１９，１９の上端には、破断を防止するためのアール部が内向きに湾曲するように設けられている。さらに、第３切断線１９，１９の間隔は、第１切断線１５，１５の間隔と同一に設定されている。
【００２１】
前記第４切断線２０，２０は、前記第２切断線１６，１６と同様に、前記第３切断線１９，１９より狭い間隔で縦方向に延びるもので、前記第３切断線１９，１９の下端に連続する円弧状切断線２０ａ，２０ａと、該円弧状切断線２０ａ，２０ａと接する傾斜切断線２０ｂ，２０ｂとからなる。前記円弧状切断線２０ａ，２０ａは、第３切断線１９，１９から内向きに湾曲して延びるように形成されている。前記傾斜切断線２０ｂ，２０ｂは、互いの間隔が漸次狭くなるように縦方向下向きに傾斜し、前記第２切断線１６の下端と同一高さまで延びるように形成されている。これら傾斜切断線２０ｂ，２０ｂの下端には、破断を防止するためのアール部が内向きに湾曲するように設けられている。
【００２２】
前記第３折曲線２１は、前記第１折曲線１７の下側に位置するように、前記第４切断線２０，２０間にかけて横方向に延びるように設けた水平な折曲線と切断線とからなるリード罫により構成されている。この第３折曲線２１は、前記第１切断線１５の上端と第３切断線１９の上端との間隔分、第１折曲線１７より下側に位置するように設定されている。
【００２３】
前記第４折曲線２２は、前記第４切断線２０，２０の下端であるアール部にかけて接するように横方向に延びる水平な折曲線により構成されている。
【００２４】
前記第５折曲線２３は、前記第１切断線１５，１５の上端、更に具体的には、第１切断線１５，１５のアール部の外端から本体シート１０の側端縁にかけて横方向に延びるように設けた水平な折曲線と切断線とからなるリード罫により構成されている。
【００２５】
前記第６折曲線２４は、前記第５折曲線２３に対して平行に延びるように、各第３切断線１９，１９の上端、更に具体的には、第３切断線１９，１９のアール部の内端間にかけて横方向に延びるように設けた水平な折曲線により構成されている。
【００２６】
前記第７折曲線２５は、各第１切断線１５，１５の下端および各第３切断線１９，１９の下端より横方向に延びる水平な折曲線により構成している。即ち、左側の第７折曲線２５は、左側の第１切断線１５の下端から本体シート１０の左側端縁にかけて延び、中央の第７折曲線２５は、右側の第１切断線１５の下端から左側の第３切断線１９の下端にかけて延び、右側の第７折曲線２５は、右側の第３切断線１９の下端から本体シート１０の右側端縁にかけて延びるように設けられている。
【００２７】
この商品ホルダーを使用する場合には、図１および図２に示すように、第１，第３折曲線１７，２１を谷折りするとともに、第２，第４折曲線１８，２２を山折りする。また、第５折曲線２３を谷折りし、第６折曲線２４を山折りするとともに、第７折曲線２５を山折りする。
【００２８】
これにより、第１切断線１５，１５の上端から第１折曲線１７までの領域からなる背面部２Ａと、第１折曲線１７から第２折曲線１８までの領域からなる底面部３Ａと、第２切断線１６，１６から横方向外側の領域からなる前面部４Ａとで囲まれた第１の収容空間１Ａが形成される。また、第６折曲線２４から第３折曲線２１までの領域からなる背面部２Ｂと、第３折曲線２１から第４折曲線２２までの領域からなる底面部３Ｂと、第４切断線２０，２０から横方向外側の領域からなる前面部４Ｂとで囲まれ、前記第１の収容空間１Ａより奥行きが短い第２の収容空間１Ｂが形成される。
【００２９】
そして、これらの収容空間１Ａ，１Ｂは、互いの前面部４Ａ，４Ｂが面一に一致するように構成されているため、外観に違和感を与えることなく、第５折曲線２３と第６折曲線２４との間隔分、第１の収容空間１Ａより第２の収容空間１Ｂの奥行きを短くすることができる。その結果、奥行きが異なる商品を１個の商品ホルダーに収容させて陳列販売することができる。しかも、奥行きが異なる商品は、横方向に並べて収容されるため、商品の奥行きの違い、即ち、容量の違いを購入者が容易に判断することができる。
【００３０】
なお、本発明の吊下式商品ホルダーは、前記実施形態の構成に限定されるものではなく、種々の変更が可能である。
【００３１】
例えば、前記実施形態では、各行の左側（１列目）に第１の収容空間１Ａを配置し、右側（２列目）に第２の収容空間１Ｂを配置したが、各列で配置が異なるように千鳥足状の配置としてもよい。即ち、第１行の第１列、第２行の第２列および第３行の第１列に第１の収容空間１Ａを配置し、第１行の第２列、第２行の第１列および第３行の第２列に第２の収容空間１Ｂを配置してもよい。
【００３２】
また、前記実施形態では、３行２列の配置で収容空間１Ａ，１Ｂを形成したが、その行数および列数は、希望に応じて変更が可能である。勿論、奥行きが異なる収容空間１Ａ，１Ｂは、２種に限らず、３種以上設けてもよい。
【００３３】
さらに、前記実施形態では、一対の第２切断線１６と第４切断線２０とを、それぞれ第１切断線１５および第３切断線１９より狭い間隔で形成したが、第１切断線１５と第２切断線１６、および、第３切断線１９と第４切断線２０が直線的に一致するように設けてもよい。この場合、内向きに突出した前面部４Ａ，４Ｂが形成されないため、底面部３Ａ，３Ｂが背面部２Ａ，２Ｂに向けて下向きに傾斜するように第１折曲線１７および第３折曲線２１を設けることが好ましい。
【００３４】
さらにまた、第１収容空間１Ａを構成する第２切断線１６と、第２収容空間１Ｂを構成する第４切断線２０とは、互いの下端が一致する高さに形成したが、異なるように形成してもよい。
【図面の簡単な説明】
【００３５】
【図１】本発明の実施形態に係る吊下式商品ホルダーを示す前方斜視図である。
【図２】吊下式商品ホルダーを示す後方斜視図である。
【図３】吊下式商品ホルダーのブランクを示す平面図である。
【符号の説明】
【００３６】
１Ａ，１Ｂ…収容空間
２Ａ，２Ｂ…背面部
３Ａ，３Ｂ…底面部
４Ａ，４Ｂ…前面部
１０…本体シート
１５…第１切断線
１６…第２切断線
１７…第１折曲線
１８…第２折曲線
１９…第３切断線
２０…第４切断線
２１…第３折曲線
２２…第４折曲線
２３…第５折曲線
２４…第６折曲線
２５…第７折曲線
【図１】
2006006540.tif 000003
【図２】
2006006540.tif 000004
【図３】
2006006540.tif 000005